(57)【要約】【課題】  視聴者の嗜好を考慮して環境に応じた画像を表示する画像表示装置を提供する。【解決手段】  装置が設置された周囲の環境に関する情報を取得する環境情報取得部６と、前記環境に関する情報に対応した画像を、前記画像に付加された環境に関するパラメータ及び評価値を利用して選択する画像選択部４と、選択された前記画像を出力する制御部１６とを備える。【選択図】  図１
2011013453.tif 000002
【特許請求の範囲】
【請求項１】
装置が設置された周囲の環境に関する情報を取得する環境情報取得部と、
前記環境に関する情報に対応した画像を、前記画像に付加された環境に関するパラメータ及び評価値を利用して選択する画像選択部と、
選択された前記画像を出力する制御部と
を備えることを特徴とする画像表示装置。
【請求項２】
前記環境情報取得部は、前記周囲の環境を測定するセンサを備えることを特徴とする請求項１記載の画像表示装置。
【請求項３】
前記画像選択部は、前記環境に関する情報に変化が生じた場合に前記画像を再選択することを特徴とする請求項１または２記載の画像表示装置。
【請求項４】
前記画像選択部による前記画像の選択条件として前記環境に関するパラメータと前記環境に関する情報とを対応付ける選択条件設定部を備えることを特徴とする請求項１〜３の何れか一項に記載の画像表示装置。
【請求項５】
前記画像の評価を入力する評価入力部と、
入力された前記評価に基づいて評価値を算出する評価値算出部と
を備えることを特徴とする請求項１〜４の何れか一項に記載の画像表示装置。
【発明の詳細な説明】
【技術分野】
【０００１】
本発明は、画像表示装置に関するものである。
【背景技術】
【０００２】
屋外の環境に応じた画像を表示する画像表示装置が知られている（例えば、特許文献１参照）。この画像表示装置においては、温度計、気圧計、日照計等により天候を計測し実際の天候の状況に応じた景観の画像を表示している。
【先行技術文献】
【特許文献】
【０００３】
【特許文献１】特開２００６−３４５３６２号公報
【発明の概要】
【発明が解決しようとする課題】
【０００４】
ところで、この画像表示装置においては表示する画像に視聴者の嗜好は反映されていなかった。
【０００５】
本発明の目的は、視聴者の嗜好を考慮して環境に応じた画像を表示する画像表示装置を提供することである。
【課題を解決するための手段】
【０００６】
本発明の画像表示装置は、装置が設置された周囲の環境に関する情報を取得する環境情報取得部と、前記環境に関する情報に対応した画像を、前記画像に付加された環境に関するパラメータ及び評価値を利用して選択する画像選択部と、選択された前記画像を出力する制御部とを備えることを特徴とする。
【発明の効果】
【０００７】
本発明の画像表示装置によれば、視聴者の嗜好を考慮して環境に応じた画像を表示することができる。
【図面の簡単な説明】
【０００８】
【図１】本発明の実施の形態に係る画像表示装置のシステム構成を示すブロック図である。
【図２】本発明の実施の形態に係る画像表示装置の画像表示処理を示すフローチャートである。
【図３】本発明の実施の形態に係る画像表示装置の画像データに付加された環境パラメータ及びレーティングを示す図である。
【発明を実施するための形態】
【０００９】
以下、図面を参照して本発明の実施の形態に係る画像表示装置について説明する。図１は実施の形態に係る画像表示装置のシステム構成を示すブロック図である。画像表示装置２は、ＣＰＵ４、センサＩ／Ｆ６、ＲＡＭ８、ＲＯＭ１０、ＨＤＤＩ／Ｆ１２、ＨＤＤ１４、ビデオプロセッサ１６、表示部１８、ＲＴＣ（リアルタイムクロック）２０、メモリカードＩ／Ｆ２２、ネットワークＩ／Ｆ２４、評価入力部２６、条件設定部２７を備えている。
【００１０】
センサＩ／Ｆ６は、ＧＰＳ衛星からの信号を解析することにより位置、時刻等の情報を取得し、緯度・経度、時刻等を示すデータを出力するＧＰＳ受信機２８、温度を測定する温度センサ３０、湿度を測定する湿度センサ３２、気圧を測定する気圧センサ３４、画像表示装置２が設置された周囲の明るさを測定する照度センサ３６、画像表示装置２が設置された周囲の音を集音するマイクロホン３８等の各センサとの接続インターフェースであり、画像表示装置２は接続された各センサから設置された周囲の環境情報（環境に関する情報）を取得する。
【００１１】
ＣＰＵ４は、ＲＯＭ１０に格納されたソフトウェアプログラムを実行することにより画像表示装置２を構成する各部の制御を行う。ここで、ＲＯＭ１０には、評価入力部２６において入力された評価に基づいて画像のレーティングを算出するプログラムやセンサＩ／Ｆ６に接続された各センサにより測定された環境情報と合致する環境パラメータ（環境に関するパラメータ）の示すタグワードを用いて画像データの検索を行うプログラム、画像データに基づく画像を出力するプログラム等のソフトウェアプログラムが格納されている。また、ＲＡＭ８は、ＣＰＵ４がプログラムを実行する際に用いられるワーク用メモリであり、センサＩ／Ｆ６に接続された各センサにより測定された環境情報、外部ファイルサーバ４２から取り込んだ画像データ、評価入力部２６において入力された評価情報等を一時的に記憶する。
【００１２】
ＨＤＤＩ／Ｆ１２は、外部ファイルサーバ４２から取得した画像データまたはプリセットの画像データを記憶するＨＤＤ１４との間の接続インターフェースであり、ビデオプロセッサ１６は、表示部１８への画像の出力制御を行う。ＲＴＣ２０は、図示しない水晶振動子に接続され計時動作を行う。また、ＲＴＣ２０は画像表示装置２に電源が投入されていない場合やバッテリが装着されていない場合においても動作を行うためのバックアップ電池を備えている。
【００１３】
メモリカードＩ／Ｆ２２は、着脱可能なメモリカード４０を装着する接続インターフェースであり、装着されたメモリカード４０と画像表示装置２との間のリード／ライトコマンドやデータ等の送受信を中継する。また、ネットワークＩ／Ｆ２４は、外部ファイルサーバ４２とイーサネット（登録商標）等により接続を行うための接続インターフェースである。画像表示装置２は、後述する画像の検索結果に応じて外部ファイルサーバ４２からネットワークＩ／Ｆ２４を介して画像データを取得し、また、評価入力部２６において入力された評価値に基づくレーティングを画像データに対応付けてネットワークＩ／Ｆ２４を介して外部ファイルサーバ４２に対してフィードバックする。
【００１４】
評価入力部２６は、表示部１８に表示された画像に対して視聴者が評価を入力する操作部である。条件設定部２７は、センサＩ／Ｆ６に接続された各センサにより測定された環境情報とＣＰＵ４が画像を検索する際の検索条件であるタグワードとを対応させた環境パラメータを設定する。また、環境パラメータは、視聴者が操作部を介して設定を行ってもよいし、プリセット等により予め設定されていてもよい。
【００１５】
次に、図２に示すフローチャートを参照して本実施の形態に係る画像表示装置の画像表示処理について説明する。画像表示装置２は図示しない電源ボタンにより電源が投入されるとシステムの初期化を行い（ステップＳ１）、ＲＯＭ１０からソフトウェアプログラムを読み出し起動する（ステップＳ２）。そして、センサＩ／Ｆ６に接続されている各センサを初期化し（ステップＳ３）、各センサにおいて測定された環境情報を取得する（ステップＳ４）。また、条件設定部２７により設定された環境パラメータを読み出し（ステップＳ５）、環境情報に合致した環境パラメータの示すタグワードを画像データの検索条件とする（ステップＳ６）。その後、ステップＳ７〜Ｓ１９に示す処理を繰り返す。
【００１６】
即ち、ステップＳ６で取得した検索条件に従ってネットワークＩ／Ｆ２４を介して外部ファイルサーバ４２に記憶されている画像データを検索する（ステップＳ７）。即ち、Ｅｘｉｆ形式の画像データのタグ情報に記憶されているタグワードが検索条件のタグワードと一致するか否かを判定する。検索条件に一致する画像データが抽出できた場合には（ステップＳ８：Ｙ）、抽出された画像データをネットワークＩ／Ｆ２４を介して外部ファイルサーバ４２から取得する（ステップＳ９）。ここで、複数の画像データが抽出された場合には画像データのＥｘｉｆ形式のタグ情報に記憶されたレーティングを参照し、レーティングが高い画像データを選択し、外部ファイルサーバ４２から取得する。一方、外部ファイルサーバ４２に接続できない等の理由により検索条件に一致する画像データを抽出できなかった場合には（ステップＳ８：Ｎ）、ＨＤＤ１４に記憶されているプリセットの画像データを検索する（ステップＳ１０）。プリセットの画像データのＥｘｉｆ形式のタグ情報に記憶されているタグワードが検索条件のタグワードと一致する画像データを検索する。そして、検索条件のタグワードと一致した画像データを代替画像として選択し読み出す（ステップＳ１１）。
【００１７】
そして、ビデオプロセッサ１６は、ステップＳ９において取得した画像データに基づく画像またはＳ１０において読み出した画像データに基づく画像を表示部１８に表示する（ステップＳ１２）。表示部１８に表示された画像に対して視聴者が評価入力部２６を介して評価を入力した場合には（ステップＳ１３：Ｙ）、評価入力部２６において入力された評価に基づいて画像のレーティングを算出し更新する（ステップＳ１４）。例えば、評価入力部２６が１つの評価ボタンにより構成されている場合には評価ボタンが押された回数が多いほどレーティングは高くなる。更新されたレーティングは画像データのＥｘｉｆ形式のタグ情報として付加される。また、評価入力が行われた際の環境情報についてもＥｘｉｆ形式のタグ情報として付加される。そして、表示している画像の画像データをＨＤＤ１４またはメモリカード４０に記憶する（ステップＳ１５）。評価入力部２６を介した評価入力が行われない場合でも（ステップＳ１３：Ｎ）、表示している画像の画像データをＨＤＤ１４またはメモリカード４０に記憶する（ステップＳ１５）。なお、プリセット画像を表示している場合において評価入力が行われない場合にはステップＳ１５に示す処理を省略してもよい。
【００１８】
そしてセンサＩ／Ｆ６に接続されている各センサにより測定された環境情報を取得してから所定時間が経過すると再度各センサは測定を行い、センサＩ／Ｆを介して環境情報を取得する（ステップＳ１６）。また、条件設定部２７により設定された環境パラメータを読み出し（ステップＳ１７）、環境情報に合致した環境パラメータの示すタグワードを画像データの検索条件として取得する（ステップＳ１８）。次に、検索条件として取得したタグワードが前回の検索の際に検索条件として用いたタグワードと異なるか否か判定する（ステップＳ１９）。即ち、表示部１８に現在表示している画像を抽出する際の検索に用いたタグワードと異なるか否か判定する。
【００１９】
タグワードが異なる場合には、ステップＳ７に示す処理に戻り、抽出されたタグワードを検索条件として外部ファイルサーバ４２に記憶された画像データの検索を行う。一方、抽出されたタグワードが前回の検索を行ったタグワードと一致する場合にはステップＳ１６に示す処理に戻る。
【００２０】
図３は、画像データのファイル名、キーワード、画像データのＥｘｉｆ形式のタグ情報として記憶されているタグワードおよびレーティングを示す図である。ここで、キーワードはタグワードに対応する言葉であり、環境パラメータの設定の際に表示部１８等のユーザインタフェース上に表示される。
【００２１】
条件設定部２７において２５℃以上の気温とｗａｒｍというタグワードとを対応させた環境パラメータが設定されている場合には、温度センサ３０により測定された気温が２５℃以上であればＥｘｉｆ形式のタグ情報にタグワードとしてｗａｒｍが記憶された画像データを検索し抽出する。外部ファイルサーバ４２に記憶された画像データが図３に示すものである場合、画像ファイル名がDSC_0300.JPG及びDSC_0331.JPGである画像データが抽出される。次にレーティングを比較し、レーティングが高い画像データであるDSC_0331.JPGを外部ファイルサーバ４２から取得し表示部１８に表示する。
【００２２】
また、温度と湿度から求められる不快指数を用いて環境パラメータを設定してもよい。例えば、不快指数が７５を超えた場合にｃｏｏｌというタグワードを対応させた環境パラメータを条件設定部２７に設定する。そしてセンサＩ／Ｆ６に接続された温度センサ３０及び湿度センサ３２により測定された温度及び湿度を用いて求めた不快指数が７５を超えている場合には、Ｅｘｉｆ形式のタグ情報にタグワードとしてｃｏｏｌが記憶された画像データを検索し抽出する。外部ファイルサーバ４２に記憶された画像データが図３に示すものである場合、画像ファイル名がDSC_0496.JPGである画像データが抽出され、この画像データを外部ファイルサーバ４２から取得し表示部１８に表示する。
【００２３】
また、センサＩ／Ｆ６に接続された各センサから定期的に環境情報を取得し、環境情報の経時変化を用いて表示する画像を選択してもよい。例えば、マイクロホン３８により定期的に取得した周囲環境の騒音レベルが所定の値以上大きくなった場合にｃｏｏｌというタグワードを対応させた環境パラメータを条件設定部２７に設定する。
【００２４】
また、天気が崩れる前兆として気圧の低下が測定されることが多いため、気圧センサ３４により定期的に取得した気圧が低下する傾向にある場合に曇りや雨模様の画像を示すタグワードを対応させて条件設定部２７に設定してもよい。
【００２５】
また、センサＩ／Ｆ６に接続された各センサにより測定された環境情報と合致した環境パラメータの示すタグワードが複数である場合には、複数のタグワードについてそれぞれ画像データの検索を行い、抽出された画像データのうちレーティングが高い画像データを選択する。例えば、条件設定部２７において１７時前後の夕方である時刻とｓｕｎｓｅｔというタグワードとを対応させた環境パラメータが設定され、また、温帯または熱帯に位置する所定の緯度・経度とｔｒｏｐｉｃａｌというタグワードとを対応させた環境パラメータが設定されているものとする。この場合には、ＧＰＳ受信機２８から出力された時刻が１７時前後であり、かつ、温帯または熱帯を示す所定の緯度・経度であればＥｘｉｆ形式のタグ情報にタグワードとしてｓｕｎｓｅｔ及びｔｒｏｐｉｃａｌが記憶された画像データをそれぞれ検索する。外部ファイルサーバ４２に記憶された画像データが図３に示すものである場合、画像ファイル名がDSC_0234.JPG、DSC_0300.JPG及びDSC_0331.JPGである画像データが抽出される。次にレーティングを比較し、レーティングが高い画像データであるDSC_0331.JPGを外部ファイルサーバ４２から取得し表示部１８に表示する。
【００２６】
本実施の形態に係る画像表示装置によれば、レーティングを用いて表示部に表示する画像の選択を行うため、視聴者の嗜好を考慮して環境に応じた画像を表示することができる。また、装置の設置場所における視聴者の視覚上の環境を向上させることができる。
【００２７】
なお、上述の実施の形態においては、画像表示装置が備える表示部に画像を出力する構成としたが、テレビモニタ等の外部表示装置に出力してもよいし、プロジェクタに出力しスクリーンへの投影等を行ってもよい。
【００２８】
また、上述の実施の形態においては、評価入力部２６が１つの評価ボタンにより構成されている場合について説明したが、評価入力部２６の構成は、例えば表示部１８に表示されている画像に対してプラスの評価及びマイナスの評価が入力可能な２つの評価ボタンからなる構成、５段階入力が可能な５つの評価ボタンからなる構成等であってもよい。
【００２９】
また、上述の実施の形態においては、センサＩ／Ｆ６に接続された各センサにより測定された環境情報と合致した環境パラメータの示すタグワードが複数である場合には、複数のタグワードについてそれぞれ画像データの検索を行う構成としたが、タグワードに優先順位を付けることにより優先順位の高い１のタグワードについての画像データを検索する構成としてもよい。例えば、条件設定部２７において日中である時刻とｂｒｉｇｈｔというタグワードとを対応させた環境パラメータが設定され、また、２５℃以上の気温とｗａｒｍというタグワードとを対応させた環境パラメータが設定され、タグワードの優先順位はｂｒｉｇｈｔの方がｗａｒｍよりも高く設定されているものとする。このとき、ＧＰＳ受信機２８から出力された時刻が正午等日中であり、かつ、温度センサ３０により測定された気温が２５℃以上である場合には、ｂｒｉｇｈｔ及びｗａｒｍというタグワードが検索条件となる。ここで、タグワードの優先順位よりｂｒｉｇｈｔが検索条件となり、外部ファイルサーバ４２に記憶された画像データが図３に示すものである場合、画像ファイル名がDSC_0210.JPGである画像データが抽出され、この画像データを外部ファイルサーバ４２から取得し表示部１８に表示する。
【００３０】
また、上述の実施の形態においては、ＧＰＳ受信機２８から出力された時刻を用いる構成としたが、ＧＰＳ衛星からの信号を受信不能な場合等にはＲＴＣ２０により計時された時刻を用いる構成としてもよい。
【符号の説明】
【００３１】
２…画像表示装置、４…ＣＰＵ、６…センサＩ／Ｆ、１６…ビデオプロセッサ、１８…表示部、２４…ネットワークＩ／Ｆ、２６…評価入力部、２７…条件設定部、２８…ＧＰＳ受信機、３０…温度センサ、３２…湿度センサ、３４…気圧センサ、３８…マイクロホン、４２…外部ファイルサーバ
【図１】
2011013453.tif 000003
【図２】
2011013453.tif 000004
【図３】
2011013453.tif 000005